【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
基板上に対向する２つ以上の電極と、そのうちの２つの電極間に配置された正孔注入輸送層を有するデバイスであって、
前記正孔注入輸送層が、少なくとも遷移金属化合物含有ナノ粒子を含有し、当該遷移金属化合物含有ナノ粒子を含有する層に更に正孔輸送性化合物を含有するか、或いは、当該遷移金属化合物含有ナノ粒子を含有する層と正孔輸送性化合物を含有する層とが積層されており、
前記遷移金属化合物含有ナノ粒子は、少なくとも遷移金属炭化酸化物、遷移金属窒化酸化物及び遷移金属硫化酸化物よりなる群から選択される１種以上を含む遷移金属化合物に、連結基により疎水性の有機基を有する保護剤が連結してなり、
前記遷移金属化合物の遷移金属が、モリブデン、タングステン、バナジウム及びレニウムよりなる群から選択される１種以上の金属であり、
前記連結基が、水酸基、スルホン酸基、スルホンアミド基、及び下記一般式（１ａ）〜（１ｎ）で示される官能基より選択される１種以上であり、且つ、
前記疎水性の有機基が、置換基を有していても良い、炭素数が４以上の直鎖又は分岐の飽和又は不飽和アルキル基、芳香族炭化水素基、複素環、及び、これらの水素の一部又は全部を置換したフッ素含有有機化合物、並びにこれらの組み合わせより選択される１種以上であって、前記フッ素含有有機化合物がアルキル基の場合に炭素炭素間にエーテル結合を含んでいても良いものであることを特徴とする、デバイス。
【化１】
2011173788.tif 000001
（式中、Ｚ１、Ｚ２及びＺ３は、各々独立にハロゲン原子又はアルコキシ基を表す。）
【請求項２】
前記デバイスが、少なくとも発光層を含む有機層を含有する有機ＥＬ素子である、請求項１に記載のデバイス。
【手続補正２】
【補正対象書類名】明細書
【補正対象項目名】発明の名称
【補正方法】変更
【補正の内容】
【発明の名称】正孔注入輸送層を有するデバイス
【手続補正３】
【補正対象書類名】明細書
【補正対象項目名】００１４
【補正方法】変更
【補正の内容】
【００１４】
すなわち、本発明に係るデバイスは、基板上に対向する２つ以上の電極と、そのうちの２つの電極間に配置された正孔注入輸送層を有するデバイスであって、
前記正孔注入輸送層が、少なくとも遷移金属化合物含有ナノ粒子を含有し、当該遷移金属化合物含有ナノ粒子を含有する層に更に正孔輸送性化合物を含有するか、或いは、当該遷移金属化合物含有ナノ粒子を含有する層と正孔輸送性化合物を含有する層とが積層されており、
前記遷移金属化合物含有ナノ粒子は、少なくとも遷移金属炭化酸化物、遷移金属窒化酸化物及び遷移金属硫化酸化物よりなる群から選択される１種以上を含む遷移金属化合物に、連結基により疎水性の有機基を有する保護剤が連結してなり、
前記遷移金属化合物の遷移金属が、モリブデン、タングステン、バナジウム及びレニウムよりなる群から選択される１種以上の金属であり、
前記連結基が、水酸基、スルホン酸基、スルホンアミド基、及び下記一般式（１ａ）〜（１ｎ）で示される官能基より選択される１種以上であり、且つ、
前記疎水性の有機基が、置換基を有していても良い、炭素数が４以上の直鎖又は分岐の飽和又は不飽和アルキル基、芳香族炭化水素基、複素環、及び、これらの水素の一部又は全部を置換したフッ素含有有機化合物、並びにこれらの組み合わせより選択される１種以上であって、前記フッ素含有有機化合物がアルキル基の場合に炭素炭素間にエーテル結合を含んでいても良いものであることを特徴とする。
【手続補正４】
【補正対象書類名】明細書
【補正対象項目名】００１５
【補正方法】変更
【補正の内容】
【００１５】
【化１】
2011173788.tif 000002
（式中、Ｚ１、Ｚ２及びＺ３は、各々独立にハロゲン原子又はアルコキシ基を表す。）
本発明に用いられる遷移金属化合物含有ナノ粒子（以下、単に「ナノ粒子」ということがある。）は、無機化合物のモリブデン酸化物等を用いる場合と異なり、ナノ粒子において、連結基により疎水性の有機基を有する保護剤が連結しているため、溶剤に分散性を有する。そのため、溶液塗布法によって薄膜形成が可能であることから、製造プロセス上のメリットが大きい。撥液性バンクを持つ基板に正孔注入輸送層から発光層までを順次塗布プロセスのみで形成できる。それ故、無機化合物のモリブデン酸化物の場合のように正孔注入層を高精細なマスク蒸着等で蒸着した後に、正孔輸送層や発光層を溶液塗布法で形成し、さらに第二電極を蒸着するようなプロセスと比較して、単純であり、低コストでデバイスを作製できる利点がある。
【手続補正５】
【補正対象書類名】明細書
【補正対象項目名】００１６
【補正方法】変更
【補正の内容】
【００１６】
また、本発明に用いられるナノ粒子は、無機化合物のモリブデン酸化物を用いる場合と異なり、ナノ粒子が疎水性の有機基を有する保護剤により保護されているため、有機物である正孔輸送性化合物との相溶性が良好となり、且つ、隣接する有機層との界面の密着性も良好となる。また、ナノ粒子は含まれる遷移金属化合物の反応性が高く、電荷移動錯体を形成しやすいと考えられる。そのため、本発明に係るナノ粒子を含有する正孔注入輸送層を備えたデバイスは、低電圧駆動、高電力効率、長寿命なデバイスを実現することが可能である。
さらに、ナノ粒子の保護剤の種類を選択することにより、親水性・疎水性、電荷輸送性、あるいは密着性などの機能性をデバイスに付与するなど、多機能化することが容易である。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
本発明に用いられる遷移金属化合物含有ナノ粒子においては、平均粒径が０．５〜２０ｎｍであることが、薄膜を形成可能で、駆動電圧の低下や素子寿命を向上させる点から好ましい。
【手続補正８】
【補正対象書類名】明細書
【補正対象項目名】００１９
【補正方法】変更
【補正の内容】
【００１９】
本発明に用いられる遷移金属化合物含有ナノ粒子においては、前記有機基が、芳香族炭化水素及び／又は複素環であることが、駆動電圧の低下や素子寿命をさらに向上させる点から好ましい。
【手続補正９】
【補正対象書類名】明細書
【補正対象項目名】００２０
【補正方法】変更
【補正の内容】
【００２０】
本発明に用いられる遷移金属化合物含有ナノ粒子においては、前記保護剤がさらに、電荷輸送性基を有することが、駆動電圧の低下や素子寿命をさらに向上させる点から好ましい。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】